(57)【特許請求の範囲】
【請求項１】
基礎ポールの上部に蓋体を備え、この蓋体に筒状の固定ポールを固定し、この固定ポールの所定位置に照明器具の固定された筒状の可倒ポールを傾倒自在に連結した照明装置において、
前記蓋体には前記可倒ポールの下端に対向してパイプを備え、前記基礎ポールの内部に一端が延在して、他端が当該基礎ポールの上部の前記蓋体及び前記パイプを貫通して、前記可倒ポールの下端から内部に延出し、当該内部に連結されたワイヤを備え、このワイヤの前記一端は前記基礎ポールの内部でウインチに連結されることを特徴とする照明装置。
【請求項２】
前記固定ポールまたは可倒ポールのいずれか一方のポールに他方のポールを保持可能なアームを有する連結体を設けこの連結体で前記ワイヤの貫通部を覆ったことを特徴とする請求項１に記載の照明装置。
【発明の詳細な説明】
【０００１】
【発明の属する技術分野】
本発明は、照明器具の固定された可倒ポールを有する照明装置に関する。
【０００２】
【従来の技術】
一般に、基礎ポールの上部に筒状の固定ポールを固定し、この筒状の固定ポールの所定位置にボルトを貫通させて照明器具の固定された筒状の可倒ポールを傾倒自在に連結した例えば５ｍ程度の高さを有する照明装置は知られている（例えば、実公昭６３−３５４４２号公報）。
【０００３】
この種のものでは、基礎ポールと可倒ポールとの間にワイヤが設けられ、メンテナンス時には、このワイヤを用いて可倒ポールを起立位置から傾倒位置まで傾倒させて、照明器具のランプ交換をした後、再び傾倒位置から起立位置まで起立させて元の状態に戻す作業が行われる。
【０００４】
【発明が解決しようとする課題】
しかしながら、従来の構成では、ワイヤが外部に露出するので、意匠デザイン上好ましくないし、安全性に欠けるという問題がある。
【０００５】
そこで、本発明の目的は、上述した従来の技術が有する課題を解消し、ワイヤを外部に露出させることのない照明装置を提供することにある。
【０００６】
【課題を解決するための手段】
請求項１に記載の発明は、基礎ポールの上部に蓋体を備え、この蓋体に筒状の固定ポールを固定し、この固定ポールの所定位置に照明器具の固定された筒状の可倒ポールを傾倒自在に連結した照明装置において、前記蓋体には前記可倒ポールの下端に対向してパイプを備え、前記基礎ポールの内部に一端が延在して、他端が当該基礎ポールの上部の前記蓋体及び前記パイプを貫通して、前記可倒ポールの下端から内部に延出し、当該内部に連結されたワイヤを備え、このワイヤの前記一端は前記基礎ポールの内部でウインチに連結されることを特徴とするものである。
【０００７】
この発明によれば、ワイヤの一端は基礎ポールの内部に延在するので、外部からは見えないし、ワイヤの他端は基礎ポールの上部を貫通して可倒ポールの内部に延出し、当該内部に連結されるので外部からは見えない。
【０００８】
ワイヤのすべては基礎ポールと可倒ポールの内部に収納される。唯一例外として、ウインチでワイヤが繰り出される場合に限っては、可倒ポールが傾倒するにつれてワイヤが露出することになるが、このワイヤが繰り出される時以外はワイヤは外部に露出せず、外部から見ることはできない。
【００１０】
この発明によれば、ワイヤの他端がパイプを貫通して延出するので、ワイヤの繰り出し、巻き戻し時において、ワイヤはこのパイプによって案内されるので、当該ワイヤが例えば基礎ポールの内部で絡み合うようなことはない。
【００１１】
基礎ポールの内部にはウインチ、電装箱等が位置するので、仮に雨水等が基礎ポールの内部に浸入すると電気的トラプルが発生するおそれがある。この発明によれば、パイプは蓋体を貫通しパイプの開口部は蓋体の上面より上位に位置するので、蓋体の上面に溜まる雨水等がパイプの開口を通じて基礎ポールの内部に浸入することはなく、電気的トラプルの発生は抑制される。
【００１２】
請求項２に記載の発明は、請求項１に記載のものにおいて、固定ポールまたは可倒ポールのいずれか一方のポールに他方のポールを保持可能なアームを有する連結体を設けこの連結体でワイヤの貫通部を覆ったものである。
【００１３】
この発明によれば、連結体のアームがワイヤの貫通部を覆うので、ワイヤが外部に露出することはなく、意匠デザイン上好ましいものになる。
【００１４】
【発明の実施の形態】
以下、本発明の好適な実施の形態を図面に基づいて説明する。
【００１５】
図１および図２において、符号１は円筒状の基礎ポールを示す。この基礎ポール１の上部には塵埃、雨水等の浸入防止用蓋体３が設けられ、この蓋体３上には筒状の固定ポール５が溶接により固定されている。この固定ポール５の所定位置Ａには、連結用のボルト７を貫通させて、この軸心を中心に固定ポール５とほぼ同形状の筒状の可倒ポール９が傾倒自在に連結されている。
【００１６】
この可倒ポール９の先端部にはアダプタ１１が固定され、このアダプタ１１にはランプを有する照明器具１３が固定されている。
【００１７】
基礎ポール１には蓋体１４が設けられ、この蓋体１４をあけるとその内部には、図３に示すように下側から照明器具用の安定器１５、スイッチ類を収納した電装箱１７が収納されている。この電装箱１７から上方へ延びる給電用ケーブル１９の端部は、基礎ポール１の内部を上方に延出した後、固定ポール５の内部に進入し、後述するように、固定ポール５から可倒ポール９に移動し、この可倒ポール９の先端部の照明器具１３に接続されている。
【００１８】
基礎ポール１の内部には、更にウインチ２１が収納され、このウインチ２１には金属製のワイヤ２３が巻回されている。
【００１９】
このワイヤ２３の端部は、基礎ポール１の蓋体３を貫通して延出し、図１に示すように可倒ポール９の下端部に連結されている。従って、ウインチ２１でワイヤ２３を巻き取れば、図１にＢで示す状態から、ワイヤ２３が次第に巻き取られて、図１にＣで示す状態を経て、完全に巻き取られた状態では、図１にＤで示すように、可倒ポール９は固定ポール５と略平行に起立する。図１にＢで示す状態において、照明器具１３のメンテナンスが行われる。
【００２０】
この実施形態では、給電用ケーブル１９の端部を引き回して該ケーブル１９の端部を照明器具１３に接続する。この場合ケーブル１９は基礎ポール１の内部を上方に延出した後、固定ポール５の内部に進入し、更に図４に示すように所定位置Ａにおいて固定ポール５から可倒ポール９の内部に移動し、この可倒ポール９の内部を上方に延出した後に、照明器具１３に接続される。所定位置Ａは、可倒ポール９の傾倒の中心位置に相当する。
【００２１】
図４に示すように、所定位置Ａにおける固定ポール５および可倒ポール９には貫通孔２５が設けられ、この貫通孔２５にはボルト７が通されて、このボルト７の両端部には化粧ナット８が止められている。固定ポール５および可倒ポール９のそれぞれの対向壁部５ａ，９ａにはボルト７の貫通孔２５と同心の大きなケーブル通し孔２７，２９が設けられ、一方のケーブル通し孔２７の周囲には環状の凸部３１が設けられ、他方のケーブル通し孔２９の周囲には前述した凸部３１が嵌まり合う環状の凹部３３が設けられている。
【００２２】
この凹部３３に凸部３１を嵌合させた状態で、固定ポール５と可倒ポール９とをボルト７により連結しているので、固定ポール５と可倒ポール９間に働くせん断力はすべて環状の凸部３１にかかり、連結用のボルト７にかかることはないので、必要であれば当該ボルト７の太さを細くすることができるし、また、少ない力で可倒ポール９を傾倒させることができる。
【００２３】
連結用のボルト７は、固定ポール５および可倒ポール９のそれぞれの幅方向の中心を貫通する構成になっている。これによれば、可倒ポール９の傾倒中心が固定ポール５および可倒ポール９のそれぞれの幅方向の中心であるので、可倒ポール９をスムースに傾倒させることができる。
【００２４】
凹部３３と凸部３１間には、図４ないし図６に示すように、可倒ポール９の傾倒角度θ（図１）を規制するためのストッパ４１が設けられる。このストッパ４１は第一部材４３と第二部材４５とからなり、図６に示すように、凸部３１の先端の所定位置に小片からなる第一部材４３が設けられ、可倒ポール９が図１に示すように所定角度θまで傾倒したとき、第一部材４３に係合する小片からなる第二部材４５（図６）が凹部３３の先端に設けられている。
【００２５】
これによれば、不用意に可倒ポール９が倒れすぎることはなく、照明器具１３の破損や、可倒ポール９の折損等が防止される。
【００２６】
この実施形態では、可倒ポール９を例えば図１にＢ或いはＣで示す位置（以下「傾倒位置」）から図１にＤで示す位置（以下「起立位置」）にまで起立させたとき、固定ポール５と可倒ポール９とを自動的に連結可能な連結体１００が設けられる。この連結体１００は図２に示すようにポールの上部に設けられる上部連結体２００と、下部に設けられる下部連結体３００とで構成される。
【００２７】
上部連結体２００は、図７に示すように固定ポール（一方のポール）５の外周一半部５Ａに固定されて可倒ポール（他方のポール）９の外周一半部９Ａを保持可能なアーム２０１Ａを有する第一の連結体２０１と、可倒ポール（他方のポール）９の残りの外周他半部９Ｂに固定されて固定ポール（一方のポール）５の残りの外周他半部５Ｂを保持可能なアーム２０３Ａを有する第二の連結体２０３とを備えている。可倒ポール９が傾倒位置にあると、図７に示すように固定ポール５と可倒ポール９とは離間し、この可倒ポール９が起立位置に達すると、図８に示すように固定ポール５と可倒ポール９とは重なり合う。
【００２８】
そして、この場合には第一の連結体２０１のアーム２０１Ａが可倒ポール９の外周一半部９Ａを自動的に保持すると共に、第二の連結体２０３のアーム２０３Ａが固定ポール５の残りの外周他半部５Ｂを自動的に保持するので、従来のように、補強板とボルトとを別々に準備する必要等はなく、ポール上部の連結を極めて簡単に行うことができ、例えば当該照明装置に強風が作用したとしても、可倒ポール９が大きく揺れるようなことはない。
【００２９】
下部連結体３００は、図９に示すように可倒ポール９の外周一半部９Ａに固定されて固定ポール５の外周一半部５Ａを保持可能なアーム３０１Ａを有する第一の連結体３０１と、固定ポール５の残りの外周他半部５Ｂに固定されて可倒ポール９の残りの外周他半部９Ｂを保持可能なアーム３０３Ａを有する第二の連結体３０３とを備えている。可倒ポール９が傾倒位置にあると、図９に示すように固定ポール５と可倒ポール９とは離間し、この可倒ポール９が起立位置に達すると、図１０に示すように固定ポール５と可倒ポール９とは重なり合う。
【００３０】
そして、この場合には第一の連結体３０１のアーム３０１Ａが固定ポール５の外周一半部５Ａを自動的に保持すると共に、第二の連結体３０３のアーム３０３Ａが可倒ポール９の残りの外周他半部９Ｂを自動的に保持するので、従来のように、補強板とボルトとを別々に準備する必要等はなく、ポール下部の連結を極めて簡単に行うことができる。この下部連結体３００にあっては各アーム３０１Ａ，３０３Ａが各ポールを保持した後に、各アーム３０１Ａ，３０３Ａと各ポールとをそれぞれボルト３０５で連結することが望ましい。このボルト３０５による連結は低所で行えるので作業は極めて容易である。
【００３１】
この実施形態によれば、固定ポール５と可倒ポール９との連結が極めて容易であることに加えて、起立位置における第一、第二の連結体が固定ポール５と可倒ポール９との外周をほぼ完全に覆うので各ポール５，９の隙間が露出することはなく、意匠デザイン上優れたものになる。
【００３２】
前述したように基礎ポール１の内部にはウインチ２１が収納され、このウインチ２１には金属製のワイヤ２３が巻回されている。なお、この場合にウインチ２１は取外し自在であってもよいことは明らかである。
【００３３】
このワイヤ２３の端部は、図１１に示すように基礎ポール１の蓋体３に設けられたパイプ５０を貫通して可倒ポール９の内部に延出し、この可倒ポール９の下端部に連結されている。従って、ワイヤ２３を徐々に繰り出すと、可倒ポール９は図１に示すように位置Ｄから位置Ｃ、位置Ｂのように徐々に傾倒する。この位置Ｂにおいて照明器具１３のメンテナンスが行われる。これに対しウインチ２１でワイヤ２３を徐々に巻き取ると、可倒ポール９は徐々に起立して位置Ｄに到達し、この可倒ポール９は固定ポール５と略平行に起立する。
【００３４】
この実施形態では、ワイヤ２３の一端２３ａは、基礎ポール１の内部に延在するので外部からは見えないし、他端２３ｂは基礎ポール１の上部を貫通して可倒ポール９の内部に延出し、当該内部に連結されるので外部からは見えない。従ってワイヤ２３のすべては基礎ポール１と可倒ポール９の内部に収納され、唯一例外として、ウインチ２１でワイヤ２３が繰り出される場合に限っては、可倒ポール９が傾倒するにつれてワイヤ２３が露出する。
【００３５】
この実施形態では、繰り出される時以外はワイヤ２３は外部にまったく露出することがないので、照明装置の外観上の美感は向上し、しかもワイヤ２３に引っかかることはないので、安全性が向上する。
【００３６】
また、この実施形態では、ワイヤ２３の他端２３ｂがパイプ５０を貫通して延出するので、ワイヤ２３の繰り出し、巻き戻し時において、ワイヤ２３はこのパイプ５０によって案内されるので、当該ワイヤ２３が例えば基礎ポール１の内部で絡み合うようなことはない。基礎ポール１の内部にはウインチ２１、電装箱１７等が位置するので、仮に雨水等が基礎ポール１の内部に浸入すると電気的トラプルが発生するおそれがある。この実施形態では、パイプ５０は蓋体３を貫通しパイプ５０の開口部は蓋体３の上面より上位に位置するので、蓋体３の上面に溜まる雨水等がパイプ５０の開口を通じて基礎ポール１の内部に浸入することはなく、電気的トラプルの発生は抑制される。
【００３７】
更に、この実施形態では、下部連結体３００のアーム３０１Ａ，３０３Ａがワイヤ２３の貫通部（パイプ５０）を覆うのでワイヤ２３が外部に露出することはなく意匠デザイン上好ましいものになる。
【００３８】
以上、一実施形態に基づいて本発明を説明したが、本発明は、これに限定されるものでないことは明らかである。例えば前記実施形態では図９に示すように固定ポール５と可倒ポール９の断面形状がほぼ半円形状であったが、これに限定されるものではなく例えば図１２に示すようにほぼ矩形状であってもよい。ただし前記各アームが各ポールの外形を保持し易いように固定ポール５と可倒ポール９の外形は滑らかな円弧であることが望ましい。
【００３９】
【発明の効果】
請求項１に記載の発明によれば、ワイヤの一端は基礎ポールの内部に延在するので、外部からは見えないし、ワイヤの他端は基礎ポールの上部を貫通して可倒ポールの内部に延出し、当該内部に連結されるので外部からは見えないので、外観美は向上し、しかもワイヤに引っかかることはなく安全性が向上する。
【００４０】
請求項１に記載の発明によれば、ワイヤの他端がパイプを貫通して延出するので、ワイヤの繰り出し、巻き戻し時において、ワイヤはこのパイプによって案内されるので、ワイヤが例えば基礎ポールの内部で絡み合うことはない。
【００４１】
基礎ポールの内部にはウインチ、電装箱等が位置するので、仮に雨水等が基礎ポールの内部に浸入すると電気的トラプルが発生するおそれがあるが、この発明によれば、パイプは蓋体を貫通しパイプの開口部は蓋体の上面より上位に位置するので、蓋体の上面に溜まる雨水等がパイプの開口を通じて基礎ポールの内部に浸入することはなく、電気的トラプルの発生は抑制される。
【００４２】
請求項２に記載の発明によれば、連結体のアームがワイヤの貫通部を覆うので、ワイヤが外部に露出することはなく意匠デザイン上好ましいものになる。
【図面の簡単な説明】
【図１】本発明による照明装置の一実施形態を示す正面図である。
【図２】同じく側面図である。
【図３】基礎ポールの一部断面図である。
【図４】固定ポールと可倒ポールの連結部を示す縦断面図である。
【図５】同じく横断面図である。
【図６】同じく正面図である。
【図７】上部連結体を示す断面図である。
【図８】上部連結体を示す断面図である。
【図９】下部連結体を示す断面図である。
【図１０】下部連結体を示す断面図である。
【図１１】パイプ部を示す斜視図である。
【図１２】別の実施形態による図９相当図である。
【符号の説明】
１  基礎ポール
５  固定ポール
７  ボルト
９  可倒ポール
１３  照明器具
５０  パイプ
１００  連結体
２００  上部連結体
２０１  第一の連結体
２０３  第二の連結体
２０１Ａ、２０３Ａ  アーム
３００  下部連結体
３０１  第一の連結体
３０３  第二の連結体
３０１Ａ、３０３Ａ  アーム
【図１】
0004096381.tif 000002
【図２】
0004096381.tif 000003
【図３】
0004096381.tif 000004
【図４】
0004096381.tif 000005
【図５】
0004096381.tif 000006
【図６】
0004096381.tif 000007
【図７】
0004096381.tif 000008
【図８】
0004096381.tif 000009
【図９】
0004096381.tif 000010
【図１０】
0004096381.tif 000011
【図１１】
0004096381.tif 000012
【図１２】
0004096381.tif 000013